(57)【要約】【目的】作業性に優れ、安全性にも優れたチェーンソー刃による事故を防止するための衣服。【構成】表地と裏地の間に、化合繊布帛を複数層として成る布帛と、高強度ポリエチレン繊維をフエルトとして得た布帛とを配設し一体化したか、又は、更に表地の直下にポリパラフェニレンベンゾビスオキサゾール繊維と、高強度ポリエチレン繊維とを交織とした布帛をも配設一体化した。【選択図】    図３
2004244741.tif 000002
【特許請求の範囲】
【請求項１】
適宜素材より成る表生地と、同適宜素材より成る裏生地の間に、上面となる表生地より順に、
まず高強度ポリエチレン繊維とポリパラフェニレンベンゾビスオキサゾール繊維とを交織して得た布帛を、
次いで適宜硬度と強度を有するナイロン又はポリエステル等の化合繊布帛を複数層として成る布帛集合体を、
更に、高強度ポリエチレン繊維をフエルトとして得た布帛を、
積層した上で、縫製等任意の手段にて一体化したこと、
を特徴とするチェーンソー用耐切創衣服。
【請求項２】
適宜素材より成る表生地と、同適宜素材より成る裏生地の間に、上面となる表生地より順に、
まず適宜硬度と強度を有するナイロン又はポリエステル等の化合繊布帛を複数層として成る布帛集合体を、
次いで、高強度ポリエチレン繊維をフエルトとして得た布帛を、
積層した上で、縫製等任意の手段にて一体化したこと、
を特徴とするチェーンソー用耐切創衣服。
【請求項３】
着用時に、前記ポリパラフェニレンベンゾール繊維が長手方向乃至長尺方向に、また、前記高強度ポリエチレン繊維が短手方向乃至短尺方向になるように縫製し完成品とすること、
を特徴とする請求項１記載のチェーンソー用耐切創衣服。
【請求項４】
前記高強度ポリエチレン繊維とポリパラフェニレンベンゾール繊維との交織の態様が任意の組み合わせより成ること、
を特徴とする請求項１記載のチェーンソー用耐切創衣服。
【請求項５】
前記ナイロン又はポリエステル等の化合繊布帛の複数層が、２層乃至４層であること、
を特徴とする請求項１記載のチェーンソー用耐切創衣服。
【請求項６】
前記ポリパラフェニレンベンゾビスオキサゾール繊維が、ザイロン（商標）であること、
を特徴とする請求項１又は３、４の何れかに記載のチェーンソー用耐切創衣服。
【請求項７】
前記高強度ポリエチレン繊維が、ダイニーマ（商標）であること、
を特徴とする請求項１乃至４の何れかに記載のチェーンソー用耐切創衣服。
【請求項８】
前記、ナイロン又はポリエステル等の化合繊布帛の複数層として成る布帛集合体が、４層乃至８層であること、
を特徴とする請求項２記載のチェーンソー用耐切創衣服。
【発明の詳細な説明】
【０００１】
【産業上の利用分野】
本発明は、チェーンソーを用いて森林での木材伐採や園芸などに従事する作業員が、誤って作動中のチェーンソー刃を、身体、殊には腰部より下、に当ててしまった際にも傷つけることのないために開発された、チェーンソー事故により作業者に生じさせ得る切創を完璧に防止するためのみならず、作業性にも極めて優れた作業パンツ等の衣服に係るものである。
【０００２】
【従来の技術】
従来、この種の事故に対しては、金属を用いたり、あるいは硬度を有する布帛を何層にも形成するなどして、結果、極めて重く、かつ相当な肉厚ともなる防切創用衣服が多く用いられてきた。
しかし乍らこれら従来のものでは、極めて重量の大きな、かつまた極めて厚手のものとならざるを得ないため、仮に作業者の切創保護とはなりえたとしても、作業性には極めて劣り、実際上は非常に用いられにくく効果的ではない、というものであったに過ぎなかった。
殊に森林での伐採作業は、傾斜地など足場が悪い条件下で行われることなども多く、森林作業従事者にとっては極めて危険性を伴うため、深刻な問題となっていた。
【０００３】
【発明が解決しようとする課題】
そこで本発明は、上記従来の欠点を解消し、重量が小さく、かつ、作業の妨げとなるような肉厚ともならず、前記、傾斜地など足場が悪い条件下での作業にも容易に対応可能であるため作業性には極めて優れ、その結果として、チェーンソーの操作ミスや誤作動によって作業者に生じさせることとなりうるチェーンソー刃による切創を防止するに最適な、作業パンツ等の衣服に係るものである。
【０００４】
【課題を解決するための手段】
本発明に係る作業パンツ等の衣服は、適宜素材より成る表生地と、同適宜素材より成る裏生地の間に、上面より順に、まず高強度ポリエチレン繊維とポリパラフェニレンベンゾビスオキサゾール繊維とを交織して得た布帛を、次いで適宜硬度と強度を有するナイロン又はポリエステル等の化合繊布帛を複数層として成る布帛集合体を、更に、高強度ポリエチレン繊維をフエルトとして得た布帛を、積層し縫製等任意の手段にて一体化したこと、を要旨とするものである。
尚、前記ポリパラフェニレンベンゾビスオキサゾール繊維は、ザイロン（商標）であること、がより好もしい。
又、前記高強度ポリエチレン繊維が、ダイニーマ（商標）であること、もまた好もしいことである。
【０００５】
更には、適宜素材より成る表生地と、同適宜素材より成る裏生地の間に、上面より順に、まず適宜硬度と強度を有するナイロン又はポリエステル等の化合繊布帛を複数層として成る布帛集合体を、次いで、高強度ポリエチレン繊維をフエルトとして得た布帛を、積層し縫製等任意の手段にて一体化したこと、をも要旨とするものである。
【０００６】
前記適宜硬度と強度を有するナイロン又はポリエステル等の化合繊布帛を複数層として成る布帛集合体は２層〜８層の間の何れかであること、が好もしく、ケースにより任意に採択しうる。
【０００７】
尚、着用時に前記ポリパラフェニレンベンゾビスオキサゾール繊維が長手方向乃至長尺方向に、又、該高強度ポリエチレン繊維が短手方向乃至短尺方向になるように縫製・完成品とすることは、格別に好もしいと云えるものである。
【０００８】
また、該高強度ポリエチレン繊維とポリパラフェニレンベンゾビスオキサゾール繊維との交織の態様は任意の組み合わせとすることが可能である。
【０００９】
【実施例】
本発明者は、前述のような課題を解決するための対策について種々開発を重ねてきた結果として、好もしい実施例を提供することを可能とした。
まず第一の実施例を述べる。
【００１０】
図１は、本発明に係る作業衣服のうちパンツＰ１の一態様の正面（図１ａ）及び側面（図１ｂ）をそれぞれ表わすものであって、この態様の場合は、着用者は通常のパンツと同じように、下半身を完全に覆うスタイルをとる。
図２は、本発明に係る作業衣服のうちパンツＰ２の別の態様の正面（図２ａ）及び側面（図２ｂ）をそれぞれ表わすものであり、この態様の場合は、着用者は、一般のパンツの上に、更に身体の前部のみを覆うようにして下半身を保護するスタイルをとる。
【００１１】
尚、これら実施例に於いて、図３として、図１（ａ及びｂ）及び図２（ａ及びｂ）の構成を、判り易く分解した説明図を示すものである。
【００１２】
該図３は、上面から順に、まず符号１は、一般に広く用いられる硬度と強度を有するナイロン生地その他適宜選択された生地よりなる表生地を、符号２は、超高分子量ポリエチレンを原料とし、ゲル紡糸と一般に称えられる方法によって完成する高強度ポリエチレンのうちから選択した「ダイニーマ（商標）」ポリエチレン２ａと、直線性の高いポリパラフェニレンベンゾビスオキサゾールを液晶紡糸した繊維のうちから選択した「ザイロン（商標）」２ｂ、とを交織、格子状に織り上げた中間層、符号３は適宜強さと硬さとを有する化合繊のうちから採択したナイロンを格子状に織り上げた三層より成る布帛を、符号４は、前述の高強度ポリエチレンのうちより選択した「ダイニーマ（商標）」ポリエチレンを繊維相互が絡みつくようフエルト状に仕上げた層を、符号５は適宜硬さと強さとを有する任意の裏地、をそれぞれ示している。
【００１３】
尚、ここで、本発明技術の構成の中心とも云いうる素材たる、前記「ダイニーマ（商標）」と「ザイロン（商標）」とを、いま少し、詳しく説明しておきたい。
【００１４】
まず「ダイニーマ（東洋紡の商標）」についてであるが、該繊維は、超高分子量ポリエチレンを原料とし、一般的にはゲル紡糸と称えられる方法によって完成するものであり、超高強度・高弾性率を有する優れた繊維素材である。
その特徴としては、軽さ（比重１以下）や、強さ（ピアノ線の約８倍）の他にも、衝撃吸収性が特筆される。
即ち、破断に必要なエネルギーが大きいため、衝撃を吸収するという特性に極めて優れており、防護衣料など悪環境下で人体を防護する素材繊維として好もしい特性を有している、と云いうる。
【００１５】
次に「ザイロン（東洋紡の商標）」についてであるが、該繊維は、剛直で極めて直線性の高い分子構造を有するＰＢＯ（ポリパラフェニレンベンゾビスオキサゾール）を液晶紡糸した繊維であって、その特筆すべき特徴としては、パラアミド繊維の２倍以上の強度・弾性率を有し、有機繊維の中では、最も高い強度と弾性率とを有している。
のみならず、極めて軽い（比重約１）ことの他しなやかで柔らかい、という特性をも具備している好もしいものである。
【００１６】
上記した二つの素材に共通して云えることは、軽いこと、高強度であること、高弾性率を有していること、更には高衝撃吸収性、しなやかさ、といった共通の優れた特質を具備している点である。
【００１７】
図４は、符号２ａの「ダイニーマ（商標）」、２ｂ「ザイロン（商標）」の拡大模式図であるが、交織の状態の一例がよく示されている。
前記のように採択された「ダイニーマ（商標）」２ａと、「ザイロン（商標）」２ｂとは、該図４に示されているような格子状を呈している。
又、経緯の点については、この例に示されているように、完成品となった状態では、「ザイロン（商標）」が長手方向乃至長尺方向（パンツの上下の方向、矢符通り）に使用されるような態様で格子状とすること、がより好もしい。
これは後述する理由による。
【００１８】
尚、図５（ａ及びｂ）に示されているように、「ダイニーマ（商標）」２ａと「ザイロン（商標）」２ｂとの交織の態様は任意であって、適宜その表れる態様を変えることが可能なことは勿論である。
【００１９】
作業者が、誤って、回転中のチェーンソー刃を、下半身に接触させてしまった場合に、表地を通過した刃は、「ダイニーマ（商標）」２ａと、「ザイロン（商標）」２ｂを交織した層のうち、「ザイロン（商標）」２ｂは、長手方向乃至長尺方向（パンツの上下方向）に形成されているため、チェーンソー刃は、「ダイニーマ（商標）」２ａと、「ザイロン（商標）」２ｂの交織層２の存在によって、又、殊には、短手方向の「ダイニーマ（商標）」２ａの摩擦係数が低く他を滑らせ易いという特性により、長手方向の「ザイロン（商標）」２ｂが引き抜かれ易くなり、結果、チェーンソー刃に絡みつき易くなり回転は停止する。
【００２０】
尚、仮に、交織層２下面に配設された三層より成るナイロン層を突き抜けても、前述のように、摩擦係数が低く他を滑らせ易く、かつ、高強度、という特性を有する「ダイニーマ（商標）」のフエルト層４の存在により、該層に至るまでに既に回転力が弱められたチェーンソー刃を滑らせるので、該フエルト層４で完全に停止させることができる。
従って、作業者の身体に切創が生じるという危険性は全くない。
【００２１】
次には、第二の実施例を示す。
図５は本発明に係る作業パンツＰ３の他の実施例を示すものであって、そのうち図５ａは正面図を、図５ｂは側面図を示す。
この実施例も、前述の実施例同様に、通常のパンツと同じく、下半身前後共にすっぽりと覆う。
又、図６は、別の例を示すものであって、この場合も前述同様に、パンツＰ４は身体の下半身前部のみを覆うようになり、図６ａはその正面を、図６ｂはその側面をそれぞれ示す。
【００２２】
又、図７は、図５及び図６の構成を判り易く分解した説明図である。
【００２３】
該図７に於いて、上面より下面に至り、まず符号６は適宜高度と強度をもつナイロン生地その他適宜選択・採択される表生地、符号７は、適当な硬度と強度を有するナイロン布帛を六層に形成した層である。
符号８は、前述の実施例同様に、超高分子量ポリエチレンを原料とし、ゲル紡糸方法により得られた繊維をフェルト状を呈するよう織り上げたものであって、本実施例に於いても、上記のうちより、「ダイニーマ（商標）」繊維を採択してある。
尚、符号９は、強度と硬度を有する適宜裏生地である。
【００２４】
作業者が誤って、下半身に、回転中のチェーンソー刃を接触させてしまった場合、本例でも、前述実施例同様、表地を通過してしまった刃は、六層のナイロン布帛層７に容易に、かつ密に絡みつき、瞬時に（厳密には０．１〜０．２秒程度で）、回転は完全に抑止され、仮に、該部を突き抜けたとしても、該複数のナイロン布帛層７下面に配設された前述の「ダイニーマ（商標）」をフェルト状を呈するよう織り上げられているフエルト層８の位置に於いては、完全に刃としての機能を失うため、着用者に切創を生じさせることは全くない。
【００２５】
【発明の効果】
以上のように本発明は、従来チェーンソーの操作性に支障をもたらす、例えば、傾斜地等足場の悪い条件下での作業において、誤って回転中のチェーンソーの刃を下半身に当ててしまい大事故となるようなことを完全に防止でき、軽量でありなおかつ耐切創効果の高い、作業者が安心出来運動性能を有する作業用衣服が提供されることとなり、本発明実施の効果は極めて大きい。
尚、更に、チェーンソー対策以外の、例えば刃物による切創にも適用しうる可能性も存することも顕著な効果と云いうる。
【図面の簡単な説明】
【図１】本発明の第一実施例を示す正面図（１ａ）、及び側面図（１ｂ）である。
【図２】本発明の第一実施例の別の態様を示す正面図（２ａ）及び側面図（２ｂ）である。
【図３】図１及び図２の構成の分解説明図である。
【図４】図１、図２及び図３に於ける交織状態を示す拡大説明図である。
【図５】同任意の交織態様の表われ方を示す例（ａ及びｂ）の拡大説明図である。
【図６】本発明の第二実施例を示す正面図（６ａ）、及び側面図（６ｂ）である。
【図７】本発明の第二実施例の別の態様を示す正面図（７ａ）、及び側面図（７ｂ）である。
【図８】図６及び図７の構成の分解図である。
【符号の説明】
１，６  表地
２  交織中間層
２ａ    「ダイニーマ（商標）」繊維
２ｂ    「ザイロン（商標）」繊維
３，７  ナイロン布帛層
４，８  「ダイニーマ（商標）」フエルト
５，９  裏地
Ｐ１，Ｐ２，Ｐ３，Ｐ４  パンツ
【図１】
2004244741.tif 000003
【図２】
2004244741.tif 000004
【図３】
2004244741.tif 000005
【図４】
2004244741.tif 000006
【図５】
2004244741.tif 000007
【図６】
2004244741.tif 000008
【図７】
2004244741.tif 000009
【図８】
2004244741.tif 000010